(57)【特許請求の範囲】
【請求項１】
半纏を掛けるためのハンガーであって、
半纏の肩部を掛ける肩掛け部と、該肩掛け部の中間部に設けられた吊掛け部と、該吊掛け部の近傍に設けられた吊受け部とを有するハンガー本体と、
直線的な棒体で、前記ハンガー本体の幅より長く、半纏の肩幅とほぼ同じ長さであり、かつ半纏の肩幅の長さが両袖の長さを足した長さとほぼ同じであるときに半纏の両袖の長さを足した長さと同じか、ほぼ同じ長さに形成されており、半纏の袖部をそれぞれその口側から袖掛け部に通して掛けるための袖掛け部と、
該袖掛け部の長手方向の中間部に設けられ前記吊受け部に掛止する掛け部を有し、該掛け部を前記吊受け部に掛止したときに前記肩掛け部と前記袖掛け部の高さが同じか、又はほぼ同じ高さになるように形成されている、前記ハンガー本体に取り付けられる補助ハンガー具とを備える
半纏用ハンガー。
【発明の詳細な説明】
【技術分野】
【０００１】
本発明は、衣服ハンガー及び補助ハンガー具に関するものである。更に詳しくは、半纏や綿入れ半纏等、和服形状の衣服を掛けたときに、垂れ下がった両袖部が捩れたり襞ができたりした状態で身頃部と重なることがなく、衣服の収まりを良くすることができ、見た目も整えることができる衣服ハンガー及び補助ハンガー具に関する。
【背景技術】
【０００２】
いわゆる和服は、身頃部の両肩の上縁と両袖部の上縁が直線的に連続するように形成されている。半纏や、綿入れ半纏等も同様であり、これらを吊り下げる際には、通常は洋服用の普通のハンガーに掛けられている。このような洋服用ハンガーとしては、例えば、特許文献１に開示されたハンガーがある。
【０００３】
このハンガーは、前部パーツ、後部パーツを結合し一体化された本体の肩部に帯状の加工を施された滑り止め部材を装着することにより、使用部材を最小限に抑えられると共に、最大の滑り止め機能が発揮できるようになり、廃棄の際にも最小限の廃材に抑えることができる、というものであるが、全体としては、肩掛け部の中央にフックを有する一般的な形態を有している。
【先行技術文献】
【特許文献】
【０００４】
【特許文献１】特開２００８−８００７３号公報
【発明の概要】
【発明が解決しようとする課題】
【０００５】
しかしながら、上記従来のハンガーを含む一般的な既存の洋服用ハンガー４を綿入れ半纏の掛け具として使用した場合、次のような課題を生じていた。すなわち、図６に示しているように、綿入れ半纏３の両袖部３３、３３ａが身頃部（前身頃３０、３０ａと後ろ身頃３１）の肩部３２、３２ａの端部寄りから折れ曲がって垂れ下がり、さらに垂れ下がった両袖部３３、３３ａが捩れたり襞ができたりした状態で後ろ身頃３１と重なって、いかにもだらしなく収まりが悪い印象で、見た目も良くなかった。
【０００６】
また、例えば百貨店や量販店で、上記のようにハンガーに掛けた半纏等の商品を互いに密接するようにしてパイプハンガーラックのバー等に吊り下げて陳列するような場合は、両袖部が捩れたり襞ができたりした状態で身頃部との重なりが起こることで、これらが引っ掛かって商品の出し入れを円滑に行うことができない問題もあった。
【０００７】
本発明は、以上の点に鑑みて創案されたものであり、半纏や綿入れ半纏等、和服形状の衣服を掛けたときに、両袖部が身頃部の肩部の端部寄りから折れ曲がって垂れ下がったり、さらに垂れ下がった両袖部が捩れたり襞ができたりした状態で身頃部と重なることがなく、衣服の収まりを良くすることができ、見た目も整えることができる衣服ハンガーを提供することを目的とする。
【課題を解決するための手段】
【０００８】
（１）本発明は、衣服の肩部を掛ける肩掛け部と、該肩掛け部の中間部に設けられた吊掛け部と、該吊掛け部の近傍に設けられた吊受け部とを有するハンガー本体と、衣服の袖部を掛ける袖掛け部と、該袖掛け部の中間部に設けられ前記吊受け部に掛止する掛け部とを有し、前記ハンガー本体に取り付けられる補助ハンガー具とを備える衣服ハンガーである。
【０００９】
（２）本発明は、前記補助ハンガー具の前記掛け部と前記ハンガー本体の前記吊受け部が、前記掛け部を前記吊受け部に掛止したときの前記肩掛け部と前記袖掛け部の高さが同じに、又はほぼ同じになるように形成されている構成とすることができる。
【００１０】
この場合、衣服ハンガーに掛けた綿入れ半纏の両肩部と両袖部の高さがほぼ揃うので、肩部や袖部に皺や襞が生じにくく、見た目をよりきれいに整えることができる。
【００１１】
（３）本発明は、前記補助ハンガー具の前記袖掛け部に滑り止め手段を備える構成とすることができる。
【００１２】
この場合は、滑り止め手段によって、袖掛け部に通した綿入れ半纏の袖部が袖掛け部から外れにくいので、衣料ハンガーに綿入れ半纏を収まりよく、見た目に整うように掛けた状態を維持できる。
【００１３】
（４）本発明は、前記補助ハンガー具の前記袖掛け部が、直線的な棒体で形成されている構成とすることができる。
【００１４】
この場合は、袖掛け部に通した綿入れ半纏の袖部が真っ直ぐになるので、肩部や袖部に皺や襞を生じにくくするためには、より効果的である。
【００１５】
（５）本発明は、前記ハンガー本体の前記吊受け部が貫通孔であり、前記補助ハンガー具の前記掛け部がフックである構成とすることができる。
【００１６】
この場合、ハンガー本体の吊受け部が貫通孔であり、補助ハンガー具の掛け部がフックである構成は、ごく一般的で簡易な構造、且つ掛止状態の維持が比較的確かな組合せであり、好適に採用できる。
【００１７】
（６）本発明は、衣服の肩部を掛ける肩掛け部と、該肩掛け部の中間部に設けられた吊掛け部と、該吊掛け部の近傍に設けられた吊受け部とを有するハンガー本体に取り付けられ、衣服の袖部を掛ける袖掛け部と、該袖掛け部の中間部に設けられ前記吊受け部に掛止する掛け部とを有する補助ハンガー具である。
【００１８】
この場合は、ハンガー本体と組み合わせて、上記（１）の発明の衣服ハンガーと同様の構成とすることで、衣服ハンガーと同様の作用、すなわち両袖部が補助ハンガー具の袖掛け部で支えられることによって、掛けられた綿入れ半纏の収まりがよくなり、見た目も整えることができるという作用をあらわすことができる。
【００１９】
（７）本発明は、衣服の袖部を掛ける袖掛け部と、該袖掛け部の中間部に設けられ既存の洋服用ハンガーの所要の箇所に掛止する掛け部とを備える補助ハンガー具である。
【００２０】
この場合は、既存の洋服用ハンガーと組み合わせて、本発明の衣服ハンガーとほぼ同様の構成とすることで、衣服ハンガーと同様の作用、すなわち両袖部が補助ハンガー具の袖掛け部で支えられることによって、掛けられた綿入れ半纏の収まりがよくなり、見た目も整えることができるという作用をあらわすことができる。
【００２１】
（８）本発明は、上記（６）又は（７）の発明において、前記掛け部が、向きを変えることができるフックを備える構成とすることができる。
【００２２】
この場合は、組み合わせる既存の洋服用ハンガーの形状が、どのような形状であっても、ほとんどの場合で適当な箇所に無理なくフックを掛けることができる。これにより、洋服用ハンガーに掛けて取り付けた補助ハンガー具が傾いたり外れたりせず、好適に使用できる。
【００２３】
（９）本発明は、身頃部の両肩の上縁と両袖部の上縁が直線的に連続するように形成されている和服の前記両肩をハンガー本体の肩掛け部に掛ける工程と、前記ハンガー本体の肩掛け部に掛けた和服の両袖部を、前記ハンガー本体と組み合わせた補助ハンガーの袖掛け部に掛ける工程とを備える和服の掛け下げ方法である。
【００２４】
（作用）
本発明の衣服ハンガーの作用を説明する。ここでは、綿入れ半纏を掛ける場合を例にとり説明する。
衣服ハンガーの使用に当たっては、まず、ハンガー本体の吊受け部に補助ハンガー具の掛け部を掛止して組み合わせる。そして、必要に応じて、パイプハンガーラックのバー等に吊り掛け部を掛けて衣服ハンガーを吊り下げておく。なお、以下の作業は、衣服ハンガーを吊り下げない状態で行うこともできる。
【００２５】
次に、ハンガー本体の肩掛け部に、その身頃部（前身頃と後ろ身頃）を半ば通すようにして身頃部の肩部を載せ、綿入れ半纏をハンガー本体に掛ける。このときは、上記図６に示したように、両袖部が身頃部の肩部の端部寄りから折れ曲がって垂れ下がる。そして、両袖部をそれぞれその口側から補助ハンガー具の袖掛け部に通すようにし、両袖部を伸ばした状態で袖掛け部に掛ける。
【００２６】
このように、両袖部が補助ハンガー具の袖掛け部で支えられることによって、掛けられた綿入れ半纏の収まりがよくなり、見た目も整えることができる。さらには、綿入れ半纏の両肩部に掛かる両袖部の重さも比較的小さくなるので、綿入れ半纏がハンガー本体からずり落ちることを防止できる。
【００２７】
また、例えば百貨店や量販店で、上記のように衣服ハンガーに掛けた綿入れ半纏等の商品を互いに密接するようにしてパイプハンガーラックのバー等に吊り下げて陳列するような場合も、両袖部が身頃部と重なっても、捩れた状態とはならないので、商品の出し入れを行う際も、比較的円滑に行うことができる。
【発明の効果】
【００２８】
本発明は、半纏や綿入れ半纏等、和服形状の衣服を掛けたときに、袖部が捩れたり襞ができたりした状態で身頃部と重なることがなく、衣服の収まりを良くすることができる衣服ハンガーを提供することができる。
【図面の簡単な説明】
【００２９】
【図１】本発明の衣服ハンガーの実施の形態を示す分解斜視説明図である。
【図２】図１の衣服ハンガーの使用状態を示す斜視説明図である。
【図３】図２に示す綿入れ半纏を掛けた状態を背面側から見た斜視説明図である。
【図４】本発明の補助ハンガー具の第１実施の形態を示し、補助ハンガー具を既存の洋服用ハンガーに吊掛けた状態を示す斜視説明図である。
【図５】本発明の補助ハンガー具の第２実施の形態を示す斜視図である。
【図６】綿入れ半纏を従来の洋服ハンガーに掛けた状態を示す斜視説明図である。
【発明を実施するための形態】
【００３０】
本発明を図面に示した実施の形態に基づき詳細に説明する。
図１、図２及び図３を参照する。
衣服ハンガーＡは、ハンガー本体１と、ハンガー本体１に取り付ける補助ハンガー具２で構成されている。ハンガー本体１は、吊掛け部であるフック１０を有している。フック１０の基部には、ほぼ四角形の板状の補強部材１１が形成されている。
【００３１】
補強部材１１のほぼ中央には、吊受け部である縦にやや長い長孔１２が表裏を貫通して設けられている。また、補強板１１の両側には、それぞれ斜め下方へ傾斜した肩掛け部１３、１３ａが形成されている。肩掛け部１３、１３ａの下端部は、真っ直ぐなズボン掛け部１４で接続されて補強されている。ズボン掛け部１４には、ズボン（スラックス）を掛けることができ、その一端側には、掛けたズボンの滑り止めのための抑え爪１５が形成されている。
【００３２】
補助ハンガー具２は、直線的な棒体で形成されている袖掛け部２０を有している。袖掛け部２０の両端には、球形の滑り止め２１、２１ａが設けられている。また、両端の滑り止め２１、２１ａを含む袖掛け部２０の長さは、上記ハンガー本体１の幅（ズボン掛け部１４とほぼ同じ長さ）の約１．５倍に設定されている。なお、この長さは、掛けられる綿入れ半纏等のサイズに合わせて適宜設定することができる。
【００３３】
袖掛け部２０の中央には、掛け部であるフック２２が設けられている。フック２２には、上部に直線的に形成されたスライド部２２０が設けられている。このスライド部２２０を設けることにより、フック２２を長孔１２に掛けてハンガー本体１に補助ハンガー具２を取り付けたときに、ハンガー本体１の肩掛け部１３、１３ａと補助ハンガー具２の袖掛け部２０との間隔を一定の範囲で変えることができる。なお、フック２２のスライド部２２０より先端側の長さは、長孔１２の縦の長さよりやや短く形成され、挿入が容易にできるようにしてある。
【００３４】
フック２２を袖掛け部２０の中央に設けることで、袖掛け部２０の両側が釣り合い、ほぼ水平になる。また、フック２２は、後述するフック２４及びフック２６のように、向きを変えられる構成を有していてもよい。なお、ハンガー本体１と補助ハンガー具２を組み合わせたとき、ハンガー本体１の肩掛け部１３、１３ａと補助ハンガー具２の袖掛け部２０の高さは、同じ高さ（袖掛け部２０が、傾斜している肩掛け部１３、１３ａに重なる高さ）になるようにしてある。
【００３５】
（作用）
主に図２及び図３を参照して、衣服ハンガーＡの作用について説明する。
なお、ここでは、綿入れ半纏３を掛ける場合を例にとり説明する。
衣服ハンガーＡの使用に当たっては、まず、ハンガー本体１の長孔１２に補助ハンガー具２のフック２２を掛止し、補助ハンガー具２をハンガー本体１に取り付けて組み合わせる（図１、図２参照）。そして、パイプハンガーラック（図示省略）のバー等にフック１０を掛けて衣服ハンガーを吊り下げておく。
【００３６】
次に、ハンガー本体１の肩掛け部１３、１３ａに、その身頃部を構成する前身頃３０、３０ａ、及び後ろ身頃３１）を半ば通すようにして身頃部の肩部３２、３２ａを載せ、綿入れ半纏３をハンガー本体１に掛ける。このとき、補助ハンガー具２の袖掛け部２０が綿入れ半纏３の外側に位置するようにする。なお、補助ハンガー具２は、ハンガー本体１に綿入れ半纏３を掛けた後、ハンガー本体１に取り付けてもよい。
【００３７】
綿入れ半纏３をハンガー本体１に掛けた状態では、袖部３３、３３ａが身頃部（前身頃３０、３０ａ及び後ろ身頃３１）の肩部３２、３２aの両端部寄りから折れ曲がって垂れ下がる（参考：図６）。そして、綿入れ半纏３の袖部３３、３３ａをそれぞれその口側から補助ハンガー具２の袖掛け部２０に通すようにし、袖部３３、３３ａを後ろ身頃３１側へ回しながら、伸ばした状態で袖掛け部２０に嵌め入れて掛ける（図２右図及び図３参照）。
【００３８】
また、袖掛け部２０は直線的な棒体であるので、袖掛け部１３、１３ａに嵌め入れた綿入れ半纏３の袖部３３、３３ａが真っ直ぐになり、肩部３２、３２、３２ａや袖部３３、３３ａに皺や襞を生じにくくするためには、より効果的である。
【００３９】
なお、本例では、袖部３３、３３ａを後ろ身頃３１側へ折り曲げているが、補助ハンガー具２をハンガー本体１の上記とは反対側に取り付けて、袖掛け部２０を、綿入れ半纏３の前に配置し、袖部３３、３３ａを前身頃３０、３０ａ側へ折り曲げて掛けることもできる。
【００４０】
このように、袖部３３、３３ａが補助ハンガー具２の袖掛け部２０で支えられることによって、掛けられた綿入れ半纏３の収まりがよくなり、見た目も整えることができる（図２右図及び図３参照）。また、袖掛け部２０の滑り止め２１、２１ａの作用により、袖掛け部２０に通した綿入れ半纏３の袖部３３、３３ａが袖掛け部２０から外れにくいので、衣料ハンガーＡに綿入れ半纏３を収まりよく、見た目に整うように掛けた状態を維持できる。
【００４１】
また、ハンガー本体１の肩掛け部１３、１３ａと補助ハンガー具２の袖掛け部２０は同じ高さであり、衣服ハンガーＡに掛けた綿入れ半纏３の肩部３２、３２ａと袖部３３、３３ａの高さがほぼ揃うので、肩部３２、３２ａや袖部３３、３３ａに皺や襞が生じにくく、見た目をよりきれいに整えることができる。さらには、綿入れ半纏３の肩部３２、３２ａに掛かる袖部３３、３３ａの重さも比較的小さくなるので、綿入れ半纏３がハンガー本体１からずり落ちることを防止できる。
【００４２】
また、例えば百貨店や量販店で、上記のように衣服ハンガーＡに掛けた綿入れ半纏３等の商品を互いに密接するようにしてパイプハンガーラック（図示省略）のバー等に吊り下げて陳列するような場合も、袖部３３、３３ａが後ろ身頃３１又は前身頃３０、３０ａと重なっても、捩れた状態とはならないので、商品の出し入れを行う際も、比較的円滑に行うことができる。
【００４３】
図４を参照する。
補助ハンガー具２ａは、既存の洋服用ハンガー４に取り付けて組み合わせるものである。これにより、上記衣服ハンガーＡとほぼ同様の衣服ハンガーＢが形成される。
洋服用ハンガー４は、湾曲した肩掛け部４０と、その中央に設けられているフック４１及びズボン掛け４２で構成されている。
【００４４】
補助ハンガー具２ａは、上記補助ハンガー具２と同様の袖掛け部２０と滑り止め２１、２１ａを有している。袖掛け部２０の中央には、所要の長さの数珠チェーン２３が接続されており、その先端には掛け部であるフック２４が接続されている。数珠チェーン２３が柔軟に曲がる性質を備えていることで、フック２４は自由に向きを変えることができる。なお、フック２４を有する数珠チェーン２３を袖掛け部２０の中央に設けることで、袖掛け部２０の両側が釣り合い、ほぼ水平になる。
【００４５】
（作用）
図４に示すように、補助ハンガー具２ａは、既存の洋服用ハンガー４と組み合わせて、上記衣服ハンガーＡとほぼ同様の衣服ハンガーＢとすることで、衣服ハンガーＡと同様の作用、すなわち袖部３３、３３ａが補助ハンガー具２ａの袖掛け部２０で支えられることによって、掛けられた綿入れ半纏３の収まりがよくなり、見た目も整えることができるという作用をあらわすことができる。
【００４６】
また、上記のように、補助ハンガー具２ａのフック２４は自由に向きを変えることができるので、組み合わせる既存の洋服用ハンガー４の形状が、どのような形状（ハンガーとしての一般的な範囲で）であっても、ほとんどの場合で適当な箇所に無理なくフック２４を掛けることができる。本例では、フック２４をフック４１の根元に掛けている。これにより、洋服用ハンガー４に掛けて取り付けた補助ハンガー具２ａが傾いたり外れたりせず、好適に使用できる。
【００４７】
図５を参照する。
補助ハンガー具２ｂは、既存の洋服用ハンガー４に取り付けて組み合わせるものである。これにより、上記衣服ハンガーＡとほぼ同様の衣服ハンガーが形成される。
補助ハンガー具２ｂは、上記補助ハンガー具２、２ａと同様の袖掛け部２０と滑り止め２１、２１ａを有している。
【００４８】
袖掛け部２０の中央には、先端部にリング２５０を形成した所要の長さの線材２５が直角方向に向け固定されている。リング２５０には、基部にリング２６０を形成したフック２６が、リング２５０、２６０同士を掛けて接続されている。これにより、フック２６は自由に向きを変えることができる。なお、フック２６を有する線材２５を袖掛け部２０の中央に設けることで、袖掛け部２０の両側が釣り合い、ほぼ水平になる。
【００４９】
（作用）
図５に示すように、補助ハンガー具２ｂは、既存の洋服用ハンガー４と組み合わせて、上記衣服ハンガーＡとほぼ同様の衣服ハンガーとすることで、衣服ハンガーＡと同様の作用、すなわち袖部３３、３３ａが補助ハンガー具２ａの袖掛け部２０で支えられることによって、掛けられた綿入れ半纏３の収まりがよくなり、見た目も整えることができるという作用をあらわすことができる。
【００５０】
また、上記のように、補助ハンガー具２ｂのフック２６は自由に向きを変えることができるので、組み合わせる既存の洋服用ハンガー４の形状が、どのような形状（ハンガーとしての一般的な範囲で）であっても、ほとんどの場合で適当な箇所に無理なくフック２６を掛けることができる。これにより、洋服用ハンガー４に掛けて取り付けた補助ハンガー具２ｂが傾いたり外れたりせず、好適に使用できる。
【００５１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００５２】
Ａ  衣服ハンガー
１  ハンガー本体
１０  フック
１１  補強部材
１２  長孔
１３、１３ａ  肩掛け部
１４  ズボン掛け部
１５  抑え爪
２  補助ハンガー具
２０  袖掛け部
２１、２１ａ  滑り止め
２２  フック
２２０  スライド部
Ｂ  衣服ハンガー
２ａ  補助ハンガー具
４  洋服用ハンガー
４０  肩掛け部
４１  フック
４２  ズボン掛け
２３  数珠チェーン
２４  フック
２ｂ  補助ハンガー具
２５  線材
２５０  リング
２６  フック
２６０  リング
【要約】
【課題】半纏や綿入れ半纏等、和服形状の衣服を掛けたときに、両袖部が身頃部の肩部の端部寄りから折れ曲がって垂れ下がったり、さらに垂れ下がった両袖部が捩れたり襞ができたりした状態で身頃部と重なることがなく、衣服の収まりを良くすることができる衣服ハンガーを提供する。
【解決手段】衣服ハンガー(A)は、衣服の肩部を掛ける肩掛け部(13,13a)と、肩掛け部の中間部に設けられたフック(10)と、フックの近傍に設けられた長孔(12)を有するハンガー本体(1)と、衣服の袖部を掛ける袖掛け部(20)と、袖掛け部の中間部に設けられ長孔に掛止するフック(22)を有し、ハンガー本体に取り付けられる補助ハンガー具(2)とを備える。
【選択図】図１【図１】
0005774167.tif 000002
【図２】
0005774167.tif 000003
【図３】
0005774167.tif 000004
【図４】
0005774167.tif 000005
【図５】
0005774167.tif 000006
【図６】
0005774167.tif 000007